(57)【要約】      （修正有）【課題】雑菌の繁殖や空気中への放出の心配がない除菌消臭超音波加湿器を提供する。【解決手段】超音波加湿器に使用する水として、除菌消臭効果がある次亜塩素酸水を利用する。そのため超音波加湿器の部品を耐次亜塩素酸水の材質で作る又は、耐次亜塩素酸水の材料でコーティングする。【選択図】図１
0003154192.tif 000002
【実用新案登録請求の範囲】
【請求項１】
超音波振動子により水を微細な粒子にして、該粒子をファンにより空気中に放出する超音波加湿器であり、該粒子にするものを単なる水ではなく、水と次亜塩素酸を混合した次亜塩素酸水とし、耐次亜塩素酸水の超音波加湿器にするために、該超音波振動子を固定するのに必要なゴムパッキンや水タンクの水漏れ防止用ゴムパッキンや水タンクふたに取り付けられたゴム弁にシリコンゴム等を使用し、さらに水タンクふたに取り付けられた該ゴム弁を押さえるバネに金属ではなくプラスチック等を使用するなど、主要部品を耐次亜塩素酸水の材質にしたことを特徴とする次亜塩素酸水を使用した除菌消臭超音波加湿器。
【請求項２】
請求項１記載の次亜塩素酸水を使用した除菌消臭超音波加湿器と送風機の組合せにて構成される冷風扇であり、超音波加湿器より噴霧される次亜塩素酸水に起因するマイクロミストにより腐食や漂白等しないよう、該冷風扇のルーバー、吸排気口、モーター、ファン等を耐次亜塩素酸水の材質にしたことを特徴とする冷風扇。
【請求項３】
請求項２記載の冷風扇において、送風機の風の一部を超音波加湿器本体に導くことにより、該超音波加湿器本体の内部ファンを不要としたことを特徴とする冷風扇。
【請求項４】
請求項１記載の次亜塩素酸水を使用した除菌消臭超音波加湿器により植物の生育に必要な湿度を与えることができ、該次亜塩素酸水の除菌効果により簡易的に無菌空間や無菌水を作り無農薬にて植物を育成することができる植物プラントであり、該植物プラントに使用されるパレット、ＬＥＤ等のライトカバー、支柱、ネジ、次亜塩素酸水が接触するホースやポンプ等が耐次亜塩素酸水の材質で作られているか、耐次亜塩素酸水の材料でコーティングされていることを特徴とする請求項１記載の次亜塩素酸水を使用した除菌消臭超音波加湿器を有する植物育成装置。
【考案の詳細な説明】
【技術分野】
【０００１】
本考案は、超音波加湿器により次亜塩素酸水を微細な粒子にして利用する技術に関するものである。
【背景技術】
【０００２】
常温の水を微細な粒子にして空気中に放出する装置として、一般的に超音波加湿器が知られているが、該超音波加湿器は機器の手入れを怠ると水タンク内にレジオネラ菌等の雑菌が繁殖する危険性が指摘されており、水の粒子と共に雑菌なども一緒に空気中に放出されてしまうと健康被害が出る可能性がある。
【０００３】
その対策として最近の加湿器は、雑菌の放出を防ぐために電熱により水を沸騰させスチームを発生し、該スチームで加湿をするスチーム式加湿器が主流となっている。
【０００４】
暖房機器と組合わせた冬季の加湿を目的とするのであれば、前記スチーム式加湿器で何ら問題はないが、常温の水を蒸発させ、その時の気化熱により周囲の温度を下げる装置、例えば冷風扇への応用を考えた時、常温にて水の粒子を放出することができる超音波加湿器を利用するのが最も最善な手段となる。
【０００５】
ただし前記したように常温の水を微細な粒子にして空気中に放出する超音波加湿器は、機器の手入れを怠るとレジオネラ菌等の雑菌も一緒に空気中に放出してしまうという欠点が残される。
【先行技術文献】
【特許文献】
【０００６】
【特許文献１】実用登録第３１４６５３８号
【考案の概要】
【考案が解決しようとする課題】
【０００７】
解決しようとする問題点は、超音波加湿器のように常温の水を微細な粒子にして空気中に放出する装置の場合に、機器の手入れを怠ると水タンク内等の水が汚れて雑菌が繁殖し、該雑菌も一緒に空気中に放出されてしまうと言う点である。
【課題を解決するための手段】
【０００８】
本考案は、除菌消臭効果がある次亜塩素酸水を利用できるようにした、次亜塩素酸水専用の超音波加湿器としたことを最も主要な特徴とする。
【考案の効果】
【０００９】
本考案の次亜塩素酸水を利用した除菌消臭超音波加湿器は、単なる水ではなく、除菌消臭効果がある次亜塩素酸水を使用するので、超音波加湿器の水タンク内等にレジオネラ菌等の雑菌が発生する心配がなく、安心して常温の水を微細な粒子にして空気中に放出することができるので、気化熱を奪って温度低下を応用する冷風扇への利用ができるという利点がある。また放出する水の粒子は、濡れない霧（ドライフォグ）と同様の１μｍから２０μｍ程度の大きさであり、マイクロミストとなる。
【図面の簡単な説明】
【００１０】
【図１】図１は除菌消臭超音波加湿器の説明図である。（実施例１）
【図２】図２は冷風扇の説明図である。（実施例２）
【図３】図３は冷風扇にて超音波加湿器のファンを不要とした説明図である。（実施例３）
【図４】図４は除菌消臭超音波加湿器を有する植物育成装置の説明図である。（実施例４）
【考案を実施するための形態】
【００１１】
除菌消臭効果がある次亜塩素酸水専用の超音波加湿器とすることにより、電熱ヒーターやフィルターや紫外線殺菌灯など除菌のために必要となる装置が不要となり、必要最小限の部品点数で除菌消臭超音波加湿器を実現した。
【実施例１】
【００１２】
図１は、本考案装置の１実施例の説明図であって、１は除菌消臭超音波加湿器、２は超音波振動子固定用パッキン、３は水漏れ防止用パッキン、４は弁、５は弁押えバネ、６は水タンクふた、７は水タンクである。
【００１３】
本考案の主体は、次亜塩素酸水専用の除菌消臭超音波加湿器とすることにあるので、超音波加湿器の電気、機構系の説明は省略する。
【００１４】
現在市販されている超音波加湿器は、単なる水を使用対象としているため、加工性や製造コストから、パッキンや弁等には天然ゴムあるいは合成ゴムを使用し、弁を押さえるバネ等には鉄材料を使用している。
【００１５】
しかし除菌消臭超音波加湿器は次亜塩素酸水を使用対象としており、該次亜塩素酸水は酸化性水溶液であるため、一般的に使用される天然ゴムや合成ゴムでは劣化が激しく、鉄材料等の重金属も酸化し錆びてしまう。
【００１６】
そこで次亜塩素酸水と接する主要な部品を耐次亜塩素酸水の材質とする必要がある。
具体的には、超音波振動子固定用パッキン２と、水タンク７の水タンクふた６に取り付けられる水漏れ防止用パッキン３をシリコンゴム等のパッキンとし、水タンクふた６に有る弁４をシリコンゴム等の弁とし、さらに弁４の押えバネとなる弁押えバネ５をプラスチック等のバネとし、次亜塩素酸水専用の除菌消臭超音波加湿器１とした。
【実施例２】
【００１７】
図２は、本考案装置と送風機を組合せた冷風扇の１実施例の説明図であって、１は図１と同様である。また、８は冷風扇、９は送風機、１０はマイクロミスト、１１はルーバー、１２は吸気口、１３は排気口、１４は送風機ファン、１５は送風機モーター、１６は加湿器モーターである。
【００１８】
冷風扇は、水が蒸発する際に気化熱を奪うことを利用した冷房装置であるが、一般的には水分を含んだ蒸発用のフィルターの隙間に風を通し、その際に水の蒸発により気化熱が奪われて温度が下がる原理を利用している。そのためフィルターの面積を大きくする必要があり装置の小型化は難しい。
【００１９】
そこで蒸発用のフィルターの替わりに超音波加湿器により水を微細な粒子として空気中に飛ばし、そこに送風機の風を当てて水を蒸発させ気化熱を奪うことを利用した冷風扇が考案された。（実用登録第３１４６５３８号）
超音波加湿器と組み合わせることにより冷風扇の装置の小型化は実現できた。
【００２０】
しかし、蒸発用フィルター方式または超音波加湿方式のどちらであっても機器の手入れを怠ると、フィルターまたは水タンク中にレジオネラ菌等の雑菌が繁殖する危険性があり、健康被害が懸念される問題が残された。
【００２１】
本考案では、除菌消臭効果のある次亜塩素酸水を超音波加湿器の水として利用することにより、レジオネラ菌等の雑菌の繁殖を無くし上記健康被害の問題を解決した。
【００２２】
ただし次亜塩素酸水は酸化性水溶液であるため、図１で説明した除菌消臭超音波加湿器１で作られる１μｍから２０μｍ程度の大きさである次亜塩素酸水の粒子、すなわちマイクロミスト１０が触れる可能性のある部品は、耐次亜塩素酸水の材質とする必要がある。
【００２３】
具体的には、送風機９の風の方向を決めるルーバー１１、送風機９の空気取り入れ口となる吸気口１２、送風機９の空気吐き出し口となる排気口１３、送風機９の中にある送風機ファン１４はプラスチック等で製造するのが望ましく、送風機９の中にあるモーター１５はプラスチックケース等で囲むなどして吸気口１２からマイクロミスト１０が流入しても直接モーター１５に接触しないようにする。
【００２４】
加湿器モーター１６は、除菌消臭超音波加湿器１の内部にある超音波振動子により発生したマイクロミスト１０を空気中に放出するために送風を行うものである。
【実施例３】
【００２５】
図３は、本考案装置に使用される加湿器モーター１６を不要とした冷風扇の説明図であって、８から１５は図２と同様である。また、１７は導風管である。
【００２６】
実施例２説明の冷風扇では、風を送り出す送風機９の送風機モーター１５と、除菌消臭超音波加湿器１で作られるマイクロミスト１０を空気中に放出するための加湿器モーター１６の計２台のモーターが必要であったが、送風機９で発生する風を導風管１７により除菌消臭超音波加湿器１に導くことにより加湿器モーター１６が不要となった。
【実施例４】
【００２７】
図４は、本考案装置を利用した植物育成装置の説明図であって、１は図１と同様であり、１０は図２と同様である。また、１８は植物プラント、１９はパレット、２０はＬＥＤライトカバー、２１は支柱、２２はネジ、２３はホース、２４はポンプ、２５は植物である。
【００２８】
無菌状態の施設内で植物を育成する閉鎖型の植物工場では、病原菌や害虫の侵入がないため、それらを予防や駆除するための農薬が不要となり、無農薬による安全な植物生産が可能である。しかし無菌状態とするための施設建設には膨大な費用がかかり、建設後も施設の維持管理には費用がかかる問題が残されている。
【００２９】
そこで本考案装置により次亜塩素酸水のマイクロミスト１０を空気中に放出し、植物２５が必要とする湿度を加湿すると共に、簡易的な除菌空間を作り、その中で直物２５を育成する植物プラント１８を考案した。 
【００３０】
除菌消臭超音波加湿器１は次亜塩素酸水のマイクロミスト１０を、植物２５が入ったパレット１９の周辺空間に放出するが、次亜塩素酸水が持つ強力な除菌能力によりパレット１９の周辺に簡易的に無菌空間を作ることができるので、パレット１９の中で植物２５を育成すれば、病原菌の発生を心配することなく無農薬にて植物２５を育成することができる。
【００３１】
なお害虫対策については、植物プラント１８は室内に設置する装置であり、網戸など一般的に行われる虫の侵入を防ぐ対策のみで十分である。
【００３２】
ただし図１及び図２で説明した通り次亜塩素酸水は酸化性水溶液であるため、除菌消臭超音波加湿器１で作られるマイクロミスト１０が接する可能性のあるもの、例えばパレット１９、ＬＥＤライトカバー２０、支柱２１、ネジ２２、またはマイクロミスト１０が溶けこんだ水に接する可能性のあるもの、例えばホース２３、ポンプ２４は、耐次亜塩素酸水の材質で作られるか、耐次亜塩素酸水の材料でコーティングする必要がある。
【００３３】
具体的には、材質としてプラスチック、シリコンゴム等であり、材料としてフッ素等が考えられる。
【産業上の利用可能性】
【００３４】
次亜塩素酸水をマイクロミストとして空気中に放出することにより除菌空間を作ることができるので、簡易的な無菌室を作る用途にも適用できる。
【符号の説明】
【００３５】
１    除菌消臭超音波加湿器
２    超音波振動子固定用パッキン
３    水漏れ防止用パッキン
４    弁
５    弁押えバネ
６    水タンクふた
７    水タンク
８    冷風扇
９    送風機
１０  マイクロミスト
１１  ルーバー
１２  吸気口
１３  排気口
１４  送風機ファン
１５  送風機モーター
１６  加湿器モーター
１７  導風管
１８  植物プラント
１９  パレット
２０  ＬＥＤライトカバー
２１  支柱
２２  ネジ
２３  ホース
２４  ポンプ
２５  植物
【図１】
0003154192.tif 000003
【図２】
0003154192.tif 000004
【図３】
0003154192.tif 000005
【図４】
0003154192.tif 000006